(57)【要約】【目的】ブローバックガスガンにおけるスライダの移動に伴うガス通路接続部におけるガス漏れなどの問題を解決する。【構成】ガス源から弾丸保持部へ到るガス通路の途中に、弾丸発射操作により移動するスライダを有し、そのスライダを次の弾丸発射操作の前に原位置に復帰させ、かつガン本体とスライダとのガス通路の接続部における接続力を制御する機構であって、スライダ１８は、前進によりガス源側のガス通路１５に接続するガス入口２３と、ガン本体の弾丸保持部側のガス通路１７に接続するガス出口２４を有するものとし、ガス源１１からガスが放出されているときにはスライダ１８の前進により係合してスライダ１８のガス出口２４を弾丸保持部側に密着させてガス入口２３からのガス流入によるスライダ１８の浮き上がりを防止し、スライダ１８のガス入口部がガン本体側に圧着されるようにする係合部３１、３６を設ける。【選択図】        図３
2004187730.tif 000002
【特許請求の範囲】
【請求項１】
ガス源から弾丸保持部へ到るガス通路の途中に、弾丸発射操作により移動するスライダを有し、そのスライダを次の弾丸発射操作の前に原位置に復帰させ、かつガン本体とスライダとのガス通路の接続部における接続力を制御する機構であって、スライダは、前進によりガス源側のガス通路に接続するガス入口と、ガン本体の弾丸保持部側のガス通路に接続するガス出口とを有するものとし、ガス源からガスが放出されているときには、スライダの前進により係合してスライダのガス出口を弾丸保持部側に密着させるとともに、ガス入口からのガス流入によるスライダの浮き上がりを防止し、スライダのガス入口部がガン本体側に圧着されるようにする係合部を設けたブローバックガスガンにおけるガス通路接続力の制御機構。
【請求項２】
スライダの前進によりそのガス入口側部をガン本体側に圧着させる分力を発生させるために、係合部としてスライダのガス入口部上部に傾斜面を設けるとともに、これと係合可能な係合相手部をガン本体側に設けた請求項１記載のブローバックガスガンにおけるガス通路接続力の制御機構。
【請求項３】
より緩い傾斜面から成る係合部が相対的に長い距離にわたってスライダの原位置復帰を誘導するガイドとなり、より急な傾斜面から成る第２の係合部は最終段階でスライダを原位置に停止させるストッパーとなる、２段階もしくは２種類の係合部を有している請求項１記載のブローバックガスガンにおけるガス通路接続力の制御機構。
【発明の詳細な説明】
【０００１】
【発明の属する技術分野】
本発明は、ガス源から弾丸保持部へ到るガス通路の途中に、弾丸発射操作により移動するスライダを有し、そのスライダを次の弾丸発射操作の前に原位置に復帰させ、かつガン本体とスライダとのガス通路の接続部における接続力を制御する機構に関するものである。
【０００２】
【従来の技術】
ガスの圧力を利用して、球形の弾丸を発射するガスガンの中には、実際の銃の排莢動作に伴うスライダのブローバックを模した動きを行うものがある。これは一般には玩具と見なされているガスガンに採用されており、そのために、ガス源から弾丸保持部へ到るガス通路に一種の弁装置を組み込み、スライダを移動させる方式を取る。従ってブローバックを行わないガスガンよりもブローバックガスガンの方がガス消費量が大きいことは当然であるとしても、スライダとガン本体との接続部分に僅かでも隙間があるとガス漏れが生じてしまうという問題があ
る。またスライダ内のガス通路にガスが瞬間的に流入するとこの反力でスライダが浮き上がるという問題もある。
【０００３】
【発明が解決しようとする課題】
本発明は前記の点に着目してなされたもので、その課題は、ブローバックガスガンにおけるスライダの移動に伴なうガス通路接続部におけるガス洩れ等の問題点を解決することである。また本発明の他の課題は、ブローバックガスガンにおけるスライダの動きを安定なものとすることである。
【０００４】
【課題を解決するための手段】
前記の課題を解決するため、本発明のものは、ガス源から弾丸保持部へ到るガス通路の途中に、弾丸発射操作により移動するスライダを有し、そのスライダを次の弾丸発射操作の前に原位置に復帰させ、かつガン本体とスライダとのガス通路の接続部における接続力を制御するために位置決めする機構において、スライダは、前進によりガス源側のガス通路に接続するガス入口と、ガン本体の弾丸保持部側のガス通路に接続するガス出口とを有するものとし、ガス源からガスが放出されているときには、スライダの前進により係合してスライダのガス出口を弾丸保持部側に密着させるとともに、ガス入口からのガス流入によるスライダの浮き上がりを防止し、スライダのガス入口部がガン本体側に圧着されるようにする係合部を設けたものである。
【０００５】
本発明のブローバックガスガンでは、ガス源から弾丸保持部へ到るガス通路の途中にスライダがあるので、スライダは、内部にガス通路が形成されているか、或いは内部がガス通路となるような構成を持っている。実銃のスライダは排莢動作ののち次の弾丸を装填させるためのものでもあり、本発明のものにおいても同様に次弾を弾丸保持部へ供給する動作を伴うことができる。
【０００６】
スライダは、ブローバックにより一時的にガン本体の後方へ移動するが、次弾を発射する態勢とするためには原位置に復帰していなければならない。本発明において、スライダが復帰すべき原位置は、スライダのガス通路がガン本体側のガス通路と位置として一致しており、かつまたガス本体とスライダのガス通路の接続部分にガス洩れがない状態で接続されている位置である。そのスライダの、ガス源側にてガン本体のガス通路に接続する箇所をガス入口とし、弾丸保持部側にてガン本体のガス通路に接続する箇所をガス出口とする。
【０００７】
係合部は、このようなスライダの前進により係合して、スライダのガス出口側を弾丸保持部側に密着させるとともに、ガス入口からスライダ内へのガス流入によるスライダの浮き上がりを防止し、スライダのガス入口部分をガン本体側に圧着させるようにする。係合部における係合が生じていないときには、上記圧着も生じないことになるので、ガン本体とスライダとの接続部は単なる摺接か或いは接触も殆んど生じていない状態となり、スライダのスライド動作も軽快に行われる。このようなガン本体とスライダとの接触が弱いときはガス源からガスの放出が停止しているときである。スライダのガス入り口部がガン本体側に圧着する力は、上記の係合部により、前進するスライダが押し下げられる作用によって得ることができる。スライダの前進力は、ガン本体に設けられている戻しばねと、ブローバックの後半においてスライダに生じている慣性力によって得ることができる。
【０００８】
【発明の実施の形態】
以下図示の実施形態により、本発明をより詳細に説明する。図１において、符号１１はガス源である低圧ガスを充填可能なガスボンベ、１２はガス供給のための開閉弁であり、引き金１３の操作で作動するハンマー部１４により押されると開弁する。
【０００９】
ガス通路は、開閉弁下流のガス源側通路１５と、この通路端と接続する弁装置内通路１６及び、弁装置内通路１６と接続する弾丸保持部側通路１７とに分けることができる。１８はスライダを示しており、スライダ１８には、ガス源１１から弾丸保持部１９へ到るガス通路を弾丸発射モードからスライダ移動モードへ切り換える弁装置２０及びブローバックのためのピストン２１、シリンダー２２が内蔵され、弁装置２０は後方へばね付勢された状態で前後方向へ移動可能に組み込まれている。また、スライダ１８にはガス源側通路１５に通じるガス入口２３と、弾丸保持部側通路１７に通じるガス出口２４とが設けられている。なお２５は弁装置２０に対する付勢ばねを示す。
【００１０】
このような構成を有する本発明のブローバックガスガン１０では、引き金１３を引くと、所要量のガスが開閉弁１２からガス源側通路１５に放出され、ガス入口２３を経てスライダ１８の弁装置内通路１６より弾丸保持部側通路１７に向かって流れるので、弾丸２６が充填されていれば銃腔２７から発射されることとなる。ガス源側通路１５からガス入口２３に流入したガスの一部はピストン２１を加圧し、それによってスライダ１８が後退を始めブローバックが行われる。その後スライダ１８は戻しばね２８によって原位置に復帰する動作に移る。
【００１１】
スライダ１８が原位置の状態は図２に示されており、図２の状態では、弁装置２０を内蔵しているスライダ１８の側の最先端部２９が弾丸保持側通路１７に入り込み、スライダ１８の一部がガン本体側に当接して、前進位置が規定されている。スライダ１８がブローバックした状態は図３に示されており、最先端部２９は弾丸保持部側通路１７の後方へ移動して弾倉上端が開放され、弾丸２６を１発弾押し３０により弾丸保持部１９へ装填し得る状態にある。
【００１２】
スライダ１８が原位置へ復帰しつつある状態は図４に示されており、この原位置復帰のために、本発明ではスライダ１８の前進により係合を生じる係合部３１をスライダ１８とガン本体との間に設けている。例示の係合部３１はスライダ先端部外周上部にテーパ状に形成された傾斜面３２と、これと係合可能なように弾丸保持部側通路入口上部に形成された係合相手部３３とを有している。例示の係合相手部３３は、スライダ側のより緩い傾斜面３２とほぼ一致する傾斜面から成り、両面の接触で所期の精度を得ている。またスライダ先端部にはより急な第２の傾斜面３４があり、弾丸保持部入口に形成された斜面から成る第２の係合相手部３５と接触するが、これもストッパー３６として機能する。
【００１３】
つまり、図示の例では、より緩い傾斜面３２から成る係合部３１が相対的に長い距離にわたってスライダ１８の原位置復帰を誘導するガイドとなり、より急な傾斜面３４から成るストッパー３６は最終段階でスライダ１８を原位置に停止させる２段階の過程を有するということができる。この構成によってスライダ１８は、ガス出口側が弾丸保持部側に向かって押圧され、密着するとともに、浮き上がりが防止される。
【００１４】
弾丸保持部側に向かって押圧されることで、スライダ１８は先端部において固定といって良い状態に置かれ、このことは、スライダ中間のガス入口２３をガス源ガス通路１５の出口部３８へ押し付けて圧着させる状態を作り出す。またスライダ１８の後方における安定性向上も容易にする。本発明では、スライダ１８のガス入口２３の外部に凸状の隆起部３７を設け、ガス源側通路１５の弾性材料より成る出口部３８に圧接し密着がより強化されるようになっている。従って本発明の機構によれば、ガス源１１からガスが放出されているときには、スライダ１８のガス入口２３がガン本体のガス源側通路出口部３８に圧着し、ガス漏れ防止を効果的に実現し、またスライダ１８がブローバックを開始しガス放出が止まってからは係合部３１による押し下げ力が働かないので、上記ガス入口２３とガス源側通路１５とは殆んど抵抗を生じなくなり、スライダ１８のブローバック動作が非常に軽快に行われる。
【００１５】
【発明の効果】
本発明は以上の如く構成されかつ作用するものであるから、ブローバックガスガンにおけるスライダの移動に伴うガス漏れの問題を解決することができ、ガス消費量を減少すると同時に、スライダがスムーズにブローバックし、かつスライダは浮動せず動き自体が安定かつ精密となり、ガスガンの作動がショックの少ないスムーズなものとなるので、性能向上にも寄与する等顕著な効果を奏する。
【図面の簡単な説明】
【図１】本発明に係るガス通路の位置決め機構の実施例の１形態を適用したブローバックガスガンの一部破断内面図。
【図２】スライダが原位置に置かれている状態を示す断面説明図。
【図３】スライダがブローバックした状態を示す断面説明図。
【図４】スライダが原位置に復帰する直前の状態を示す断面説明図。
【符号の説明】
１０  ブローバックガスガン
１１  ガス源であるガスボンベ
１５  ガス源側通路
１６  弁装置内通路
１７  弾丸保持部側通路
１８  スライダ
１９  弾丸保持部
２０  弁装置
２３    ガス入口
２４  ガス出口
２６  弾丸
３１、３６  係合部
３２、３４  傾斜面
３３、３５  係合相手部
【図１】
2004187730.tif 000003
【図２】
2004187730.tif 000004
【図３】
2004187730.tif 000005
【図４】
2004187730.tif 000006